(57)【要約】  他の装置との間で、放送コンテンツと通信コンテンツとを同期させて再生することができる放送受信装置は、放送される放送コンテンツを受信する放送受信装置（１０Ａ）であって、放送以外の通信を介して配信される通信コンテンツの再生を放送コンテンツの再生に同期させるための同期情報（２０）を取得する第１の情報取得部（１２）と、通信コンテンツを再生する再生装置（３０）に対してその同期情報（２０）を通知する情報通知部（１３）と、放送コンテンツを受信して再生する放送受信再生部（１１）とを備える。
2013061525.tif 000002
【特許請求の範囲】
【請求項１】
放送される放送コンテンツを受信する放送受信装置であって、
放送以外の通信を介して配信される通信コンテンツの再生を前記放送コンテンツの再生に同期させるための同期情報を取得する第１の情報取得部と、
前記通信コンテンツを再生する再生装置に対して前記同期情報を通知する情報通知部と、
前記放送コンテンツを受信して再生する放送受信再生部と
を備える放送受信装置。
【請求項２】
前記同期情報は、前記通信コンテンツ内の再生位置と、当該再生位置のデータが再生される再生時刻とを関連付けて示す同期時刻情報、または、前記同期時刻情報の取得先を示すＵＲＬ（Uniform Resource Locator）である
請求項１に記載の放送受信装置。
【請求項３】
前記同期時刻情報は、さらに、前記通信コンテンツを識別するための識別情報を含む
請求項２に記載の放送受信装置。
【請求項４】
前記情報通知部は、複数の通信コンテンツのうち、前記再生装置の性能に応じた前記通信コンテンツに対する前記同期時刻情報を、前記再生装置に通知する
請求項３に記載の放送受信装置。
【請求項５】
前記再生装置の性能は、前記再生装置において通信コンテンツが表示されるディスプレイのサイズ、前記再生装置において通信コンテンツを再生するための性能、および、前記再生装置が有するメモリのサイズ、のうちの少なくとも１つである
請求項４に記載の放送受信装置。
【請求項６】
前記同期時刻情報は、複数の通信コンテンツごとに、当該通信コンテンツの再生位置および再生時刻を示すとともに、当該通信コンテンツの仕様に関するビデオ情報を示す
請求項２に記載の放送受信装置。
【請求項７】
前記ビデオ情報は、通信コンテンツの解像度、ビットレート、コーデックの種類、およびフレームレートのうちの少なくとも１つである
請求項６に記載の放送受信装置。
【請求項８】
前記第１の情報取得部は、放送される前記同期情報を取得する
請求項１に記載の放送受信装置。
【請求項９】
前記放送受信装置は、さらに、
前記放送コンテンツと前記通信コンテンツとが同一の機器で視聴されない第１の視聴形態、または、前記放送コンテンツと前記通信コンテンツとが同一の機器で視聴される第２の視聴形態を決定する視聴形態決定部を備え、
前記情報通知部は、前記視聴形態決定部によって前記第１の視聴形態が決定された場合に、前記同期情報を通知する
請求項１に記載の放送受信装置。
【請求項１０】
前記放送受信装置は、さらに、
前記視聴形態決定部によって前記第２の視聴形態が決定された場合に、前記通信コンテンツを受信して再生する通信受信再生部と、
前記通信コンテンツの再生によって得られる動画像である通信動画像と、前記放送コンテンツの再生によって得られる動画像である放送動画像とを重ねて出力する重畳部とを備える
請求項９に記載の放送受信装置。
【請求項１１】
前記放送受信装置は、さらに、
視聴形態を受け付ける視聴形態受付部を備え、
前記視聴形態決定部は、前記放送コンテンツおよび前記通信コンテンツが再生中であるか否かに関わらず、前記視聴形態受付部によって受け付けられた視聴形態に応じて、前記第１または第２の視聴形態を決定する
請求項１０に記載の放送受信装置。
【請求項１２】
前記放送受信装置は、さらに、
前記再生装置における前記放送以外の通信の状況を示す通信状況情報を取得する通信状況取得部を備え、
前記情報通知部は、
前記放送受信再生部によって前記放送コンテンツが再生されている際に、前記通信状況情報によって示される状況が、前記通信コンテンツが受信可能な受信可能状況から、受信不可能な受信不可状況になり、再び受信可能状況になったことを示すときには、
再び前記受信可能状況になったとき以降に前記放送受信再生部によって再生される前記放送コンテンツの一部に、通信コンテンツを同期させるための他の同期情報を前記再生装置に通知する
請求項１に記載の放送受信装置。
【請求項１３】
前記放送受信装置は、さらに、
前記放送コンテンツの続きの動画像を示す通信コンテンツの所在を示す所在情報を取得する所在情報取得部を備え、
前記情報通知部は、
前記放送受信再生部による前記放送コンテンツの再生が終了すると、前記所在情報を前記再生装置に通知する
請求項１に記載の放送受信装置。
【請求項１４】
前記放送受信装置は、さらに、
前記放送コンテンツと同一の動画像を示す通信コンテンツの所在を示す所在情報を取得する所在情報取得部を備え、
前記情報通知部は、
前記放送受信再生部による前記放送コンテンツの再生が開始された後に、前記再生装置からの指示を受け付けると、前記所在情報を前記再生装置に通知する
請求項１に記載の放送受信装置。
【請求項１５】
放送以外の通信を介して配信される通信コンテンツを再生する再生装置であって、
前記通信コンテンツの再生を、放送される放送コンテンツの再生に同期させるための同期情報を取得する第２の情報取得部と、
前記第２の情報取得部によって取得された同期情報にしたがって、前記通信コンテンツを受信して再生する通信受信再生部と
を備える再生装置。
【請求項１６】
前記第２の情報取得部は、前記放送コンテンツを受信する放送受信装置から、前記同期情報を取得する
請求項１５に記載の再生装置。
【請求項１７】
前記第２の情報取得部は、前記放送コンテンツを受信する放送受信装置を介することなく、前記同期情報を取得する
請求項１５に記載の再生装置。
【請求項１８】
放送される放送コンテンツを受信する放送受信装置と、放送以外の通信を介して配信される通信コンテンツを再生する再生装置とを有する放送通信システムであって、
前記放送受信装置は、
前記通信コンテンツの再生を前記放送コンテンツの再生に同期させるための同期情報を取得する第１の情報取得部と、
前記同期情報を前記再生装置に通知する情報通知部と、
前記放送コンテンツを受信して再生する放送受信再生部とを備え、
前記再生装置は、
前記同期情報を前記放送受信装置から取得する第２の情報取得部と、
前記第２の情報取得部によって取得された同期情報にしたがって、前記通信コンテンツを受信して再生する通信受信再生部とを備える
放送通信システム。
【請求項１９】
放送される放送コンテンツを受信する放送受信装置と、放送以外の通信を介して配信される通信コンテンツを再生する再生装置とを有する放送通信システムであって、
前記放送受信装置は、
前記放送コンテンツを受信して再生する放送受信再生部を備え、
前記再生装置は、
前記通信コンテンツの再生を前記放送コンテンツの再生に同期させるための同期情報を、前記放送受信装置を介することなく取得する情報取得部と、
前記情報取得部によって取得された同期情報にしたがって、前記通信コンテンツを受信して再生する通信受信再生部とを備える
放送通信システム。
【請求項２０】
放送される放送コンテンツを受信する放送受信方法であって、
放送以外の通信を介して配信される通信コンテンツの再生を前記放送コンテンツの再生に同期させるための同期情報を取得し、
前記通信コンテンツを再生する再生装置に対して前記同期情報を通知し、
前記放送コンテンツを受信して再生する
放送受信方法。
【請求項２１】
放送以外の通信を介して配信される通信コンテンツを再生する再生方法であって、
前記通信コンテンツの再生を、放送される放送コンテンツの再生に同期させるための同期情報を取得し、
取得された前記同期情報にしたがって、前記通信コンテンツを受信して再生する
再生方法。
【請求項２２】
放送される放送コンテンツを受信するためのプログラムであって、
放送以外の通信を介して配信される通信コンテンツの再生を前記放送コンテンツの再生に同期させるための同期情報を取得し、
前記通信コンテンツを再生する再生装置に対して前記同期情報を通知し、
前記放送コンテンツを受信して再生する
ことをコンピュータに実行させるプログラム。
【請求項２３】
放送以外の通信を介して配信される通信コンテンツを再生するためのプログラムであって、 
前記通信コンテンツの再生を、放送される放送コンテンツの再生に同期させるための同期情報を取得し、
取得された前記同期情報にしたがって、前記通信コンテンツを受信して再生する
ことをコンピュータに実行させるプログラム。
【発明の詳細な説明】
【技術分野】
【０００１】
本発明は、放送される放送コンテンツを受信する放送受信装置に関し、特に、放送以外の通信によって配信される通信コンテンツの再生を、放送コンテンツの再生に同期させる放送受信装置、再生装置、およびシステムなどに関する。
【背景技術】
【０００２】
近年、インターネットテレビ、スマートテレビと呼ばれる通信を利用してコンテンツをダウンロードして再生することが可能なテレビ受像機（以下、ＴＶという）が主流になりつつある（例えば、特許文献１および２参照）。【０００３】
このようなＴＶは、放送コンテンツを受信する放送受信装置として構成されるとともに、インターネットに接続される。そして、ＴＶは、接続されたインターネットを介して所望の通信コンテンツであるビデオを検索し、そのビデオをダウンロードして再生する。また、ＴＶは、オンデマンドにより、映像音楽配信サイトからストリーミング配信されるコンテンツを受信して再生する。また、ＴＶは、ゲームやユーティリティーなどのアプリケーションプログラムをダウンロードして実行し、さらに、ソーシャルネットワークサービスの通信機能などを有する。【０００４】
また、家庭内のデジタル放送受信機で受信されたデジタル放送のコンテンツ、もしくは、レコーダに蓄積されたたデジタルコンテンツを、ホームネットワークを用いて送信し、デジタル放送受信機またはレコーダが置かれた部屋とは異なる他の部屋で視聴するといったことが行われるようになった。【０００５】
こういった、ホームネットワークを用いたデジタルコンテンツの共有を、ホームネットワークに接続される全ての機器間で可能とする動きが活発である。つまり、テレビ受像機やデジタルビデオレコーダ（ＤＶＲ）などのＣＥ（Consumer Electronics）機器間だけでなく、パーソナルコンピュータ（ＰＣ）やＰＤＡ（Ｐｅｒｓｏｎａｌ  Ｄｉｇｉｔａｌ  Ａｓｓｉｓｔａｎｔｓ)と呼ばれる携帯情報端末などを含めた、ホームネットワークに接続される全ての機器間で、その共有を可能とする動きが活発である。具体的には、ＤＬＮＡ（Ｄｉｇｉｔａｌ  Ｌｉｖｉｎｇ  Ｎｅｔｗｏｒｋ  Ａｌｌｉａｎｃｅ）などの標準化団体がこのための標準規格および実装ガイドラインを策定して公開している。【０００６】
この際、ホームネットワーク上のサーバ（例えば、デジタル放送を受信するセットトップボックスやＤＶＲ）とクライアント（例えば、パーソナルコンピュータやデジタルプレーヤ）との間における、お互いの機器の認識や利用できるコンテンツの情報のやり取りには、ＵＰｎＰ  ＡＶ（ＵＰｎＰ  ＡＶ  Ａｒｃｈｉｔｅｃｔｕｒｅ）に規定されたものが使用される。ＵＰｎＰ  ＡＶによると、サーバは、クライアントからの問い合わせを受けて、提供コンテンツの一覧と各コンテンツ属性情報とを返答する。また、コンテンツデータを通信する必須プロトコルとして、ＤＬＮＡではＨＴＴＰ（Ｈｙｐｅｒｔｅｘｔ  Ｔｒａｎｓｆｅｒ  Ｐｒｏｔｏｃｏｌ）を用いることとしている。
【先行技術文献】
【特許文献】
【０００７】
【特許文献１】特開２００７−６８１７２号公報
【特許文献２】特開２００５−２６８６７号公報
【発明の概要】
【発明が解決しようとする課題】
【０００８】
しかしながら、上記特許文献１および２の放送受信装置では、他の装置との間で、放送コンテンツと通信コンテンツとを同期させて再生することができないという問題がある。【０００９】
そこで、本発明は、他の装置との間で、放送コンテンツと通信コンテンツとを同期させて再生することができる放送受信装置を提供する。
【課題を解決するための手段】
【００１０】
本発明の一態様に係る放送受信装置は、放送される放送コンテンツを受信する放送受信装置であって、放送以外の通信を介して配信される通信コンテンツの再生を前記放送コンテンツの再生に同期させるための同期情報を取得する第１の情報取得部と、前記通信コンテンツを再生する再生装置に対して前記同期情報を通知する情報通知部と、前記放送コンテンツを受信して再生する放送受信再生部とを備える。【００１１】
なお、この包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１２】
本発明の放送受信装置は、他の装置との間で、放送コンテンツと通信コンテンツとを同期させて再生することができる。
【図面の簡単な説明】
【００１３】
【図１】図１は、実施の形態１における放送受信装置を備えたＴＶを有するシステムを示す図である。
【図２】図２は、実施の形態１におけるＴＶおよびモバイル機器に表示される放送動画像および通信動画像の一例を示す図である。
【図３】図３は、実施の形態１における放送通信システムの構成を示す図である。
【図４】図４は、実施の形態１における同期時刻情報の一例を示す図である。
【図５】図５は、実施の形態１における放送通信システムの動作を示すシーケンス図である。
【図６】図６は、実施の形態１の変形例１に係る放送通信システムの構成を示す図である。
【図７】図７は、実施の形態１の変形例２に係る放送通信システムの構成を示す図である。
【図８】図８は、実施の形態１の変形例３に係る放送通信システムの構成を示す図である。
【図９】図９は、実施の形態２における放送受信装置の内部構成を示すブロック図である。
【図１０】図１０は、実施の形態２における番組一覧情報の一例を示す図である。
【図１１】図１１は、実施の形態２における画面レイアウト情報および同期コンテンツ情報の一例を示す図である。
【図１２】図１２は、実施の形態２におけるＴＶとモバイル機器とによる同期再生の例を示すシーケンス図である。
【図１３】図１３は、実施の形態２における同期再生処理の詳細を示すフローチャートである。
【図１４】図１４は、実施の形態２における通信コンテンツ取得処理の詳細を示すフローチャートである。
【図１５】図１５は、実施の形態２におけるＴＶとモバイル機器とによる同期再生の他の例を示すシーケンス図である。
【図１６】図１６は、実施の形態２の変形例１に係る同期コンテンツ情報の一例を示す図である。
【図１７】図１７は、実施の形態２の変形例１に係る放送受信装置による放送タイプを用いた再生処理を示すフローチャートである。
【図１８】図１８は、実施の形態２の変形例２に係る同期コンテンツ情報の一例を示す図である。
【図１９】図１９は、実施の形態２の変形例３に係る放送受信装置の内部構成を示すブロック図である。
【発明を実施するための形態】
【００１４】
（本発明の基礎となった知見）
本発明者は、「背景技術」の欄において記載した特許文献１および２の放送受信装置に関し、以下の問題が生じることを見出した。
【００１５】
特許文献１の放送受信装置は、放送コンテンツと通信コンテンツとを同期させて再生する。具体的には、この放送受信装置は、放送コンテンツの放送開始時刻よりも前に、通信コンテンツの受信を開始することによって、放送コンテンツと通信コンテンツとを同期させて再生する。つまり、放送開始時刻より前に、通信コンテンツに関する情報が放送信号に埋め込まれて放送され、放送受信装置は、その情報を事前に取得することによって、通信コンテンツの受信を放送コンテンツの受信よりも前に開始することができる。そして、放送受信装置は、その放送受信装置上で、放送コンテンツと通信コンテンツとを同期させて再生する。
【００１６】
しかし、通信コンテンツを受信して再生する再生装置である他の装置は、放送信号を受信することができなければ、その放送信号に埋め込まれた上述の通信コンテンツに関する情報を取得することができない。したがって、上記特許文献１の放送受信装置は、他の装置である再生装置との間で、放送コンテンツと通信コンテンツとを同期させて再生しようとしても、できないのである。
【００１７】
また、特許文献２の放送受信装置は、放送される電子番組ガイドから、通信コンテンツに関する情報を取得する。したがって、放送受信装置は、放送される番組の選択以前に通信コンテンツに関する情報を取得し、その情報を用いることによって、その放送受信装置上で放送コンテンツと通信コンテンツとのそれぞれの再生を同期させる。
【００１８】
しかし、通信コンテンツを受信して再生する再生装置である他の装置は、放送信号を受信することができなければ、放送される電子番組ガイドから上述の通信コンテンツに関する情報を取得することができない。したがって、上記特許文献２の放送受信装置は、上記特許文献１の放送受信装置と同様、他の装置である再生装置との間で、放送コンテンツと通信コンテンツとを同期させて再生しようとしても、できないのである。
【００１９】
このような問題を解決するために、本発明の一態様に係る放送受信装置は、放送される放送コンテンツを受信する放送受信装置であって、放送以外の通信を介して配信される通信コンテンツの再生を前記放送コンテンツの再生に同期させるための同期情報を取得する第１の情報取得部と、前記通信コンテンツを再生する再生装置に対して前記同期情報を通知する情報通知部と、前記放送コンテンツを受信して再生する放送受信再生部とを備える。
【００２０】
これにより、同期情報が再生装置に通知されるため、再生装置は、その同期情報に基づいて、放送受信装置による放送コンテンツの再生と同期して、通信コンテンツを再生することができる。
【００２１】
また、前記同期情報は、前記通信コンテンツ内の再生位置と、当該再生位置のデータが再生される再生時刻とを関連付けて示す同期時刻情報、または、前記同期時刻情報の取得先を示すＵＲＬ（Uniform Resource Locator）であってもよい。
【００２２】
これにより、同期情報が同期時刻情報の場合には、再生装置は、その同期時刻情報を迅速に取得して、通信コンテンツを放送コンテンツに同期させて再生することができる。また、同期情報がＵＲＬである場合には、放送受信装置から再生装置に送信されるデータの量を抑えることができる。
【００２３】
また、前記同期時刻情報は、さらに、前記通信コンテンツを識別するための識別情報を含んでもよい。
【００２４】
これにより、放送コンテンツに関連する複数の通信コンテンツがある場合でも、再生装置は、その識別情報によって、それらの複数の通信コンテンツの中から、放送コンテンツに最適な通信コンテンツを選択して受信することができる。
【００２５】
また、前記情報通知部は、複数の通信コンテンツのうち、前記再生装置の性能に応じた前記通信コンテンツに対する前記同期時刻情報を、前記再生装置に通知してもよい。例えば、前記再生装置の性能は、前記再生装置において通信コンテンツが表示されるディスプレイのサイズ、前記再生装置において通信コンテンツを再生するための性能、および、前記再生装置が有するメモリのサイズ、のうちの少なくとも１つである。
【００２６】
これにより、再生装置は、その再生装置の性能に応じた通信コンテンツを受信して再生することができる。
【００２７】
また、前記同期時刻情報は、複数の通信コンテンツごとに、当該通信コンテンツの再生位置および再生時刻を示すとともに、当該通信コンテンツの仕様に関するビデオ情報を示してもよい。例えば、前記ビデオ情報は、通信コンテンツの解像度、ビットレート、コーデックの種類、およびフレームレートのうちの少なくとも１つである。
【００２８】
これにより、再生装置は、複数の通信コンテンツの中から再生対象の通信コンテンツを選択することができ、その選択された通信コンテンツを、その通信コンテンツに対するビデオ情報に基づいて適切に再生することができる。
【００２９】
また、前記放送受信装置は、さらに、前記放送コンテンツと前記通信コンテンツとが同一の機器で視聴されない第１の視聴形態、または、前記放送コンテンツと前記通信コンテンツとが同一の機器で視聴される第２の視聴形態を決定する視聴形態決定部を備え、前記情報通知部は、前記視聴形態決定部によって前記第１の視聴形態が決定された場合に、前記同期情報を通知してもよい。ここで、前記放送受信装置は、さらに、前記視聴形態決定部によって前記第２の視聴形態が決定された場合に、前記通信コンテンツを受信して再生する通信受信再生部と、前記通信コンテンツの再生によって得られる動画像である通信動画像と、前記放送コンテンツの再生によって得られる動画像である放送動画像とを重ねて出力する重畳部とを備えてもよい。
【００３０】
これにより、放送コンテンツと通信コンテンツとの同期再生の視聴形態が切り替えられるため、ユーザの状況に応じた視聴形態を実現することができる。
【００３１】
また、前記放送受信装置は、さらに、視聴形態を受け付ける視聴形態受付部を備え、前記視聴形態決定部は、前記放送コンテンツおよび前記通信コンテンツが再生中であるか否かに関わらず、前記視聴形態受付部によって受け付けられた視聴形態に応じて、前記第１または第２の視聴形態を決定してもよい。
【００３２】
これにより、ユーザによる操作に応じて視聴形態が受け付けられる場合には、ユーザの所望の視聴形態を選択することができる。
【００３３】
また、前記放送受信装置は、さらに、前記再生装置における前記放送以外の通信の状況を示す通信状況情報を取得する通信状況取得部を備え、前記情報通知部は、前記放送受信再生部によって前記放送コンテンツが再生されている際に、前記通信状況情報によって示される状況が、前記通信コンテンツが受信可能な受信可能状況から、受信不可能な受信不可状況になり、再び受信可能状況になったことを示すときには、再び前記受信可能状況になったとき以降に前記放送受信再生部によって再生される前記放送コンテンツの一部に、通信コンテンツを同期させるための他の同期情報を前記再生装置に通知してもよい。
【００３４】
これにより、放送以外の通信の状況が復旧した場合にも、同期情報にしたがったコンテンツの同期を適切に再開することができる。
【００３５】
また、前記放送受信装置は、さらに、前記放送コンテンツの続きの動画像を示す通信コンテンツの所在を示す所在情報を取得する所在情報取得部を備え、前記情報通知部は、前記放送受信再生部による前記放送コンテンツの再生が終了すると、前記所在情報を前記再生装置に通知してもよい。
【００３６】
これにより、再生装置は、その所在情報によって示される所在から、放送コンテンツの続きの動画像を示す通信コンテンツを受信することができる。したがって、ユーザは、放送コンテンツの続きを、再生装置によって再生される通信コンテンツで視聴することができ、ユーザに対する利便性を向上することができる。
【００３７】
また、前記放送受信装置は、さらに、前記放送コンテンツと同一の動画像を示す通信コンテンツの所在を示す所在情報を取得する所在情報取得部を備え、前記情報通知部は、前記放送受信再生部による前記放送コンテンツの再生が開始された後に、前記再生装置からの指示を受け付けると、前記所在情報を前記再生装置に通知してもよい。
【００３８】
これにより、再生装置は、その所在情報によって示される所在から、放送コンテンツと同一の動画像を示す通信コンテンツを受信することができる。したがって、ユーザは、放送コンテンツの最初の部分を見逃した場合でも、その後、再生装置によって再生される通信コンテンツの先頭から、その見逃した部分を見ることができ、ユーザに対する利便性を向上することができる。
【００３９】
上記問題を解決するために、本発明の一態様に係る再生装置は、放送以外の通信を介して配信される通信コンテンツを再生する再生装置であって、前記通信コンテンツの再生を、放送される放送コンテンツの再生に同期させるための同期情報を取得する第２の情報取得部と、前記第２の情報取得部によって取得された同期情報にしたがって、前記通信コンテンツを受信して再生する通信受信再生部とを備える。
【００４０】
これにより、通信コンテンツが同期情報にしたがって再生されるため、放送受信装置による放送コンテンツの再生に、その通信コンテンツの再生を同期させることができる。
【００４１】
上記問題を解決するために、本発明の一態様に係る放送通信システムは、放送される放送コンテンツを受信する放送受信装置と、放送以外の通信を介して配信される通信コンテンツを再生する再生装置とを有する放送通信システムであって、前記放送受信装置は、前記通信コンテンツの再生を前記放送コンテンツの再生に同期させるための同期情報を取得する第１の情報取得部と、前記同期情報を前記再生装置に通知する情報通知部と、前記放送コンテンツを受信して再生する放送受信再生部とを備え、前記再生装置は、前記同期情報を前記放送受信装置から取得する第２の情報取得部と、前記第２の情報取得部によって取得された同期情報にしたがって、前記通信コンテンツを受信して再生する通信受信再生部とを備える。
【００４２】
これにより、再生装置が同期情報を直接取得することができない場合であっても、同期情報が放送受信装置から再生装置に通知されるため、放送受信装置と再生装置との間で、放送コンテンツと通信コンテンツとを同期させて再生することができる。
【００４３】
また、上記問題を解決するために、本発明の一態様に係る放送通信システムは、放送される放送コンテンツを受信する放送受信装置と、放送以外の通信を介して配信される通信コンテンツを再生する再生装置とを有する放送通信システムであって、前記放送受信装置は、前記放送コンテンツを受信して再生する放送受信再生部を備え、前記再生装置は、前記通信コンテンツの再生を前記放送コンテンツの再生に同期させるための同期情報を、前記放送受信装置を介することなく取得する情報取得部と、前記情報取得部によって取得された同期情報にしたがって、前記通信コンテンツを受信して再生する通信受信再生部とを備える。
【００４４】
これにより、同期情報が再生装置に直接取得されるため、放送受信装置と再生装置との間で、放送コンテンツと通信コンテンツとを同期させて再生することができる。
【００４５】
なお、本発明は、このような放送受信装置、再生装置または放送通信システムとして実現することができるだけでなく、集積回路、それらの装置における動作の方法、コンピュータにその動作をさせるためのプログラム、または、そのプログラムを格納する記録媒体としても実現することができる。
【００４６】
以下、実施の形態について、図面を参照しながら具体的に説明する。
【００４７】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４８】
（実施の形態１）
図１は、本実施の形態における放送受信装置を備えたＴＶを有するシステムを示す図である。
【００４９】
このシステムは、放送と通信とを融合させた、いわゆる放送通信融合システムであって、放送コンテンツを放送する放送局１０１と、ＴＶ１０４と、通信コンテンツを配信するサーバ１０２と、インターネット回線１０３と、モバイル機器１０６と、ＴＶ１０４とモバイル機器１０６とを接続するホームネットワーク１０５とを有する。放送局１０１は、放送波または放送信号に放送コンテンツを挿入して放送する。サーバ１０２は、インターネット回線１０３を介して通信コンテンツをＴＶ１０４およびモバイル機器１０６に送信する。
【００５０】
ＴＶ１０４は本実施の形態における放送受信装置とディスプレイとを備える。放送受信装置は、上述の放送コンテンツを受信して再生し、その放送コンテンツの再生によって得られる動画像である放送動画像を、ＴＶ１０４のディスプレイに表示させる。モバイル機器１０６は、いわゆるスマートフォンなどとして構成され、本実施の形態における再生装置とディスプレイとを備える。再生装置は、サーバ１０２からインターネット回線１０３を介して配信される通信コンテンツを受信して再生し、その通信コンテンツの再生によって得られる動画像である通信動画像を、モバイル機器１０６のディスプレイに表示させる。また、ＴＶ１０４とモバイル機器１０６はホームネットワーク１０５を介して通信する。このようなシステムでは、ＴＶ１０４とモバイル機器１０６との間で、放送コンテンツと通信コンテンツとがそれぞれ同期して再生される。このとき、ＴＶ１０４のディスプレイには放送動画像が表示され、モバイル機器１０６のディスプレイには通信動画像が表示される。
【００５１】
なお、本実施の形態では、放送受信装置がＴＶ１０４に備えられ、再生装置がモバイル機器１０６に備えられているが、それぞれ他の装置または機器に備えられていてもかまわない。なお、本実施の形態では、ＴＶ１０４の放送受信装置とモバイル機器１０６の再生装置とから放送通信システムが構成されている。
【００５２】
図２は、ＴＶ１０４およびモバイル機器１０６に表示される放送動画像および通信動画像の一例を示す図である。
【００５３】
例えば、放送コンテンツと通信コンテンツの同期再生によって野球中継のマルチアングル視聴が実現される。放送受信装置は、放送局１０１から放送される放送コンテンツ２０１を受信し、その放送コンテンツ２０１の放送動画像をＴＶ１０４のディスプレイ２０３に出力する。再生装置は、サーバ１０２からインターネット回線１０３を介して配信される通信コンテンツ２０２を受信し、その通信コンテンツ２０２の通信動画像をモバイル機器１０６のディスプレイ２０４に出力する。放送コンテンツ２０１は、バッター側のアングルから撮影された動画像を示し、通信コンテンツ２０２は、ピッチャー側のアングルから撮影された動画像を示す。このように、放送コンテンツのみでは表現しきれない要素を通信コンテンツで補うことで、視聴者により一層臨場感を伝えることが可能となる。モバイル機器１０６は、放送コンテンツと通信コンテンツの同期再生時に、放送コンテンツには含まれていない言語の音声や字幕、特典映像等を通信コンテンツとして取得して出力してもよい。
【００５４】
図３は、本実施の形態における放送通信システムの構成を示す図である。
【００５５】
本実施の形態における放送通信システムは、放送される放送コンテンツを受信する放送受信装置１０Ａと、放送以外の通信を介して配信される通信コンテンツを再生する再生装置３０とを有する。なお、放送受信装置１０ＡはＴＶ１０４に備えられ、再生装置３０はモバイル機器１０６に備えられている。また、放送以外の通信は、例えばインターネット回線１０３を介した通信であって、以下、単に通信ともいう。
【００５６】
放送受信装置１０Ａは、放送以外の通信を介して配信される通信コンテンツの再生を放送コンテンツの再生に同期させるための同期情報２０を取得する第１の情報取得部１２と、再生装置３０に対してその同期情報２０を通知する情報通知部１３と、放送コンテンツを受信して再生する放送受信再生部１１とを備える。例えば、第１の情報取得部１２は、放送される同期情報２０を取得する。
【００５７】
再生装置３０は、通信コンテンツの再生を、放送される放送コンテンツの再生に同期させるための同期情報２０を取得する第２の情報取得部３１と、第２の情報取得部３１によって取得された同期情報２０にしたがって、通信コンテンツを受信して再生する通信受信再生部３２とを備える。ここで、第２の情報取得部３１は、放送コンテンツを受信する放送受信装置１０Ａから同期情報２０を取得する。
【００５８】
このように、本実施の形態では、放送受信装置１０Ａから同期情報２０が再生装置３０に通知される。したがって、再生装置３０が同期情報２０を直接取得することができなくても、つまり、放送を受信する機能が再生装置３０に備えられていなくても、再生装置３０は、その同期情報２０に基づいて、放送受信装置１０Ａによる放送コンテンツの再生と同期させて、通信コンテンツを再生することができる。
【００５９】
また、同期情報２０は、通信コンテンツ内の再生位置と、その再生位置のデータが再生される再生時刻とを関連付けて示す同期時刻情報、または、その同期時刻情報の取得先を示すＵＲＬ（Uniform Resource Locator）である。
【００６０】
これにより、同期情報２０が同期時刻情報の場合には、再生装置３０は、その同期時刻情報を迅速に取得して、通信コンテンツを放送コンテンツに同期させて再生することができる。また、同期情報２０がＵＲＬである場合には、放送受信装置１０Ａから再生装置３０に送信されるデータの量を抑えることができる。
【００６１】
図４は、本実施の形態における同期時刻情報２０の一例を示す図である。
【００６２】
同期時刻情報２０は、図４に示すように、複数の通信コンテンツごとに、その通信コンテンツを識別するための識別情報と、その通信コンテンツの再生位置および再生時刻と、その通信コンテンツの仕様に関するビデオ情報を示す。ここで、ビデオ情報は、通信コンテンツの解像度、ビットレート、コーデックの種類、およびフレームレートである。
【００６３】
これにより、本実施の形態では、放送コンテンツに関連する複数の通信コンテンツがある場合でも、再生装置３０は、その識別情報によって、それらの複数の通信コンテンツの中から、放送コンテンツに最適な通信コンテンツを選択して受信することができる。
【００６４】
また、再生装置３０は、複数の通信コンテンツの中から再生対象の通信コンテンツを選択することができ、その選択された通信コンテンツを、その通信コンテンツに対するビデオ情報に基づいて適切に再生することができる。
【００６５】
ここで、情報通知部１３は、複数の通信コンテンツのうち、再生装置３０の性能に応じた通信コンテンツだけに対する同期時刻情報２０を、再生装置３０に通知してもよい。例えば、再生装置３０の性能は、再生装置３０において通信コンテンツが表示されるディスプレイのサイズ、再生装置３０において通信コンテンツを再生するための性能、および、再生装置３０が有するメモリのサイズ、のうちの少なくとも１つである。
【００６６】
これにより、再生装置３０は、その再生装置３０の性能に応じた通信コンテンツを受信して再生することができる。
【００６７】
図５は、本実施の形態における放送通信システムの動作を示すシーケンス図である。
【００６８】
まず、放送受信装置１０Ａは、通信コンテンツの再生を放送コンテンツの再生に同期させるための同期情報２０を取得する（ステップＳ１０）。次に、放送受信装置１０Ａは、同期情報２０を再生装置３０に通知する（ステップＳ１１）。再生装置３０は、その同期情報２０を放送受信装置１０Ａから取得する（ステップＳ１２）。なお、再生装置３０は、放送または通信によって、その同期情報２０を直接取得してもよい。
【００６９】
そして、放送受信装置１０Ａは、放送コンテンツを受信して再生し（ステップＳ１３）、再生装置３０は、ステップＳ１２で取得された同期情報２０にしたがって、通信コンテンツを受信して再生する（ステップＳ１４）。これにより、放送受信装置１０Ａによる放送コンテンツの再生に同期して、再生装置３０において通信コンテンツが再生される。
【００７０】
（変形例１）
ここで、本実施の形態における第１の変形例について説明する。本変形例に係る放送通信システムでは、視聴形態を変更する点に特徴がある。
【００７１】
図６は、本変形例に係る放送通信システムの構成を示す図である。
【００７２】
本変形例に係る放送通信システムの放送受信装置１０Ｂは、放送受信装置１０Ａが備える構成要素を備えるとともに、さらに、視聴形態受付部１６と視聴形態決定部１７と通信受信再生部１４と重畳部１５とを備える。
【００７３】
視聴形態受付部１６は、例えばユーザによる操作に応じて、視聴形態を受け付ける。視聴形態決定部１７は、放送コンテンツと通信コンテンツとが同一の機器で視聴されない第１の視聴形態、または、放送コンテンツと通信コンテンツとが同一の機器で視聴される第２の視聴形態を決定する。ここで、視聴形態決定部１７は、放送コンテンツおよび通信コンテンツが再生中であるか否かに関わらず、視聴形態受付部１６によって受け付けられた視聴形態に応じて、第１または第２の視聴形態を決定する。
【００７４】
情報通知部１３は、視聴形態決定部１７によって第１の視聴形態が決定された場合に、同期情報２０を通知する。通信受信再生部１４は、視聴形態決定部１７によって第２の視聴形態が決定された場合に、通信コンテンツを受信して再生する。重畳部１５は、通信コンテンツの再生によって得られる動画像である通信動画像と、放送コンテンツの再生によって得られる動画像である放送動画像とを重ねて出力する。
【００７５】
このように、本変形例では、放送コンテンツと通信コンテンツとの同期再生の視聴形態が切り替えられるため、ユーザの状況に応じた視聴形態を実現することができる。つまり、ユーザによる操作に応じて視聴形態が受け付けられる場合には、ユーザの所望の視聴形態を確実に選択することができる。
【００７６】
（変形例２）
ここで、本実施の形態における第２の変形例について説明する。本変形例に係る放送通信システムでは、放送コンテンツの続き、または、放送コンテンツのユーザによって見逃された動画像を、通信コンテンツによって補う点に特徴がある。
【００７７】
図７は、本変形例に係る放送通信システムの構成を示す図である。
【００７８】
本変形例に係る放送通信システムの放送受信装置１０Ｃは、放送受信装置１０Ａが備える構成要素を備えるとともに、さらに、所在情報取得部１８を備える。
【００７９】
この所在情報取得部１８は、放送コンテンツの続きの動画像を示す通信コンテンツの所在を示す所在情報２１を取得する。情報通知部１３は、放送受信再生部１１による放送コンテンツの再生が終了すると、その所在情報２１を再生装置３０に通知する。
【００８０】
これにより、再生装置３０は、その所在情報２１によって示される所在から、放送コンテンツの続きの動画像を示す通信コンテンツを受信することができる。したがって、ユーザは、放送コンテンツの続きを、再生装置３０によって再生される通信コンテンツで視聴することができる。その結果、ユーザに対する利便性を向上することができる。
【００８１】
ここで、所在情報取得部１８は、放送コンテンツと同一の動画像を示す通信コンテンツの所在を示す所在情報２１を取得してもよい。この場合には、情報通知部１３は、放送受信再生部１１による放送コンテンツの再生が開始された後に、再生装置３０からの指示を受け付けると、所在情報２１を再生装置３０に通知する。
【００８２】
これにより、再生装置３０は、その所在情報２１によって示される所在から、放送コンテンツと同一の動画像を示す通信コンテンツを受信することができる。したがって、ユーザは、放送コンテンツの最初の部分を見逃した場合でも、その後、再生装置３０によって再生される通信コンテンツの先頭から、その見逃した部分を見ることができ、ユーザに対する利便性を向上することができる。
【００８３】
なお、所在情報２１は同期情報２０に含まれていてもよい。
【００８４】
（変形例３）
ここで、本実施の形態における第３の変形例について説明する。本変形例に係る放送受信装置では、再生装置３０の通信状況に応じた処理を行う点に特徴がある。
【００８５】
図８は、本変形例に係る放送通信システムの構成を示す図である。
【００８６】
本変形例に係る放送通信システムの放送受信装置１０Ｄは、放送受信装置１０Ａが備える構成要素を備えるとともに、さらに、通信状況取得部１９を備える。
【００８７】
通信状況取得部１９は、再生装置３０における放送以外の通信の状況を示す通信状況情報を取得する。
【００８８】
ここで、放送受信再生部１１によって放送コンテンツが再生されている際に、通信状況情報によって示される状況が、通信コンテンツが受信可能な受信可能状況から、受信不可能な受信不可状況になり、再び受信可能状況になったことを示す場合がある。この場合、情報通知部１３は、再び受信可能状況になったとき以降に放送受信再生部１１によって再生される放送コンテンツの一部に、通信コンテンツを同期させるための他の同期情報２０を再生装置３０に通知する。
【００８９】
これにより、通信状況が復旧した場合にも、同期情報２０にしたがったコンテンツの同期を適切に再開することができる。
【００９０】
（実施の形態２）
本実施の形態では、放送受信装置の詳細について説明する。
【００９１】
図９は、本実施の形態における放送受信装置の内部構成を示すブロック図である。
【００９２】
図９に示すように、放送受信装置１０４Ａは、実施の形態１の放送受信装置１０Ａ〜１０Ｄの何れかに相当し、チューナ３０１、ネットワークインターフェース３０２、バッファ３０３、バッファ３０４、デマルチプレクサ３０５、デマルチプレクサ３０６、イメージメモリ３０７、イメージデコーダ３０８、ビデオデコーダ３０９、ビデオデコーダ３１０、オーディオデコーダ３１１、同期制御器３１２、イメージプレーン３１３、ビデオプレーン３１４、ビデオプレーン３１５、スピーカ３１６、加算器３１７、シナリオメモリ３１８、および制御部３２２を備える。シナリオメモリ３１８は、カレント番組情報３１９、画面レイアウト情報３２０および同期コンテンツ情報３２１を格納するためのメモリである。制御部３２２は、サービスマネージャ３２３、チューナライブラリ３２４、通信ライブラリ３２５、ＡＶ再生ライブラリ３２６、レンダリングライブラリ３２７、ユーザ入力マネージャ３２８、および機器連携マネージャ３２９から構成される。
【００９３】
チューナ３０１は、放送波を受信し、放送コンテンツに対するアクセスを実行する。これにより、チューナ３０１は放送コンテンツを受信する。
【００９４】
ネットワークインターフェース３０２は、インターネット回線１０３に接続して通信コンテンツを受信する。
【００９５】
バッファ３０３は、チューナ３０１によって受信された放送コンテンツを格納するためのメモリである。
【００９６】
バッファ３０４は、ネットワークインターフェース３０２によって受信された通信コンテンツを格納するためのメモリである。
【００９７】
デマルチプレクサ３０５は、チューナ３０１によって受信された放送コンテンツのうちのトランスポートストリームに対して多重分離を行い、放送番組に関する情報と、ＧＯＰ（Group Of Picture）を構成するビデオフレームと、オーディオフレームと、静止画または字幕などのイメージデータとを得る。さらに、デマルチプレクサ３０５は、放送番組に関する情報をシナリオメモリ３１８に格納し、ビデオフレームをビデオデコーダ３１０に出力し、オーディオフレームをオーディオデコーダ３１１に出力する。さらに、デマルチプレクサ３０５は、イメージデータをイメージメモリ３０７に格納する。デマルチプレクサ３０５による多重分離は、ＴＳ（Transport Stream）パケットをＰＥＳ（Packetized Elementary Stream）パケットに変換するという変換処理を含む。
【００９８】
デマルチプレクサ３０６は、ネットワークインターフェース３０２を介して受信された通信コンテンツのうちのトランスポートストリームに対して多重分離を行い、ＧＯＰを構成するビデオフレームと、オーディオフレームと、静止画または字幕などのイメージデータとを得る。さらに、デマルチプレクサ３０６は、ビデオフレームをビデオデコーダ３０９に出力し、オーディオフレームをオーディオデコーダ３１１に出力し、静止画または字幕などのイメージデータをイメージメモリ３０７に格納する。デマルチプレクサ３０６による多重分離は、ＴＳパケットをＰＥＳパケットに変換するという変換処理を含む。
【００９９】
イメージメモリ３０７は、デマルチプレクサ３０５、デマルチプレクサ３０６またはバッファ３０４から読み出された静止画または字幕などのイメージデータを格納するためのバッファである。
【０１００】
イメージデコーダ３０８は、イメージメモリ３０７に格納されたイメージデータをデコードし、復号されたイメージデータ（以下、イメージという）をイメージプレーン３１３に書き込む。イメージデータのデコードによって、静止画や字幕がディスプレイ２０３上に現れることになる。
【０１０１】
ビデオデコーダ３０９は、デマルチプレクサ３０６から出力されたビデオフレームを復号し、非圧縮形式のピクチャをビデオプレーン３１４に書き込む。
【０１０２】
ビデオデコーダ３１０は、デマルチプレクサ３０５から出力されたビデオフレームを復号し、非圧縮形式のピクチャをビデオプレーン３１５に書き込む。
【０１０３】
オーディオデコーダ３１１は、デマルチプレクサ３０５またはデマルチプレクサ３０６から出力されたオーディオフレームを復号し、非圧縮形式のオーディオデータを出力する。
【０１０４】
同期制御器３１２は、デマルチプレクサ３０５またはデマルチプレクサ３０６から出力された、復号再生処理の時刻管理のためのタイムスタンプを利用して、イメージ、ビデオ（ピクチャ）、およびオーディオデータが同期して出力されるように、イメージデコーダ３０８、ビデオデコーダ３０９、ビデオデコーダ３１０およびオーディオデコーダ３１１を制御する。
【０１０５】
イメージプレーン３１３は、非圧縮形式のイメージを格納しておくためのメモリである。
【０１０６】
ビデオプレーン３１４およびビデオプレーン３１５は、非圧縮形式のピクチャを格納しておくためのメモリである。
【０１０７】
スピーカ３１６は、非圧縮形式のオーディオデータである音声データを出力する。
【０１０８】
加算器３１７は、ビデオプレーン３１５に格納された非圧縮形式のピクチャに、ビデオプレーン３１４に格納された非圧縮形式のピクチャと、イメージプレーン３１３に格納されたイメージとを重ねて出力する。
【０１０９】
シナリオメモリ３１８は、カレント番組情報３１９、画面レイアウト情報３２０、および同期コンテンツ情報３２１を格納しておくためのメモリである。
【０１１０】
カレント番組情報３１９は、バッファ３０３に記録されている複数の番組情報のうち、現在再生中の番組に関するものである。
【０１１１】
画面レイアウト情報３２０は、バッファ３０３またはバッファ３０４に格納されている画面レイアウト情報のうち、現在処理対象になっているものである。
【０１１２】
同期コンテンツ情報３２１は、実施の形態１の同期情報（同期時刻情報）２０に相当し、バッファ３０３またはバッファ３０４に格納されている同期コンテンツ情報のうち、現在処理対象になっているものをいう。
【０１１３】
制御部３２２は、ＲＯＭ、ＲＡＭ、およびＣＰＵからなるマイコンシステムであり、ＲＯＭには放送受信装置１０４Ａを制御するプログラムが記録されている。ＲＯＭ内のプログラムがＣＰＵに読み込まれ、プログラムとハードウェア資源とが協動することにより、サービスマネージャ３２３、チューナライブラリ３２４、通信ライブラリ３２５、ＡＶ再生ライブラリ３２６、レンダリングライブラリ３２７、ユーザ入力マネージャ３２８、および機器連携マネージャ３２９の機能が実現される。
【０１１４】
サービスマネージャ３２３は、シナリオメモリ３１８からカレント番組情報３１９を取得し、チューナライブラリ３２４を利用して周波数を含むチューニング情報を取得する。また、サービスマネージャ３２３は、シナリオメモリ３１８から画面レイアウト情報３２０および同期コンテンツ情報３２１を取得する。さらに、サービスマネージャ３２３は、通信ライブラリ３２５を利用して、通信コンテンツ（ストリームデータ等）をネットワークインターフェース３０２に取得させる。さらに、サービスマネージャ３２３は、ＡＶ再生ライブラリ３２６およびレンダリングライブラリ３２７を利用して、デマルチプレクサ３０５、デマルチプレクサ３０６、同期制御器３１２およびイメージプレーン３１３を制御することにより放送通信融合サービスを実行する。
【０１１５】
チューナライブラリ３２４は、チューナ３０１から周波数等のチューニング情報を取得する。
【０１１６】
通信ライブラリ３２５は、インターネット上に公開された放送追加コンテンツのダウンロードに用いられる。放送追加コンテンツとは、オリジナルの放送にないコンテンツで、例えば追加のアングル映像、副音声、字幕、特典映像、またはアプリケーションプログラムなどである。サービスマネージャ３２３は、通信ライブラリ３２５を制御することによって、インターネット上に公開されたその放送追加コンテンツをバッファ３０４やローカルストレージ等にダウンロードすることができる。
【０１１７】
ＡＶ再生ライブラリ３２６は、サービスマネージャ３２３からの関数呼び出しに応じて、ＡＶ再生機能を実行する。ＡＶ再生機能とは、再生開始、再生停止、一時停止、一時停止の解除、静止画機能の解除、再生速度を即値で指定した早送り、再生速度を即値で指定した巻戻し、音声切り替え、副映像切り替え、またはアングル切り替えといった処理である。
【０１１８】
レンダリングライブラリ３２７は、イメージデコーダ３０８を利用してイメージメモリ３０７に格納されたイメージデータをデコードしてイメージプレーン３１３に書き込む。また、レンダリングライブラリ３２７は、文字または図形等をイメージプレーン３１３に書き込んだりする。
【０１１９】
ユーザ入力マネージャ３２８は、放送受信装置１０４Ａと通信するリモコンやタッチパネル等からの入力信号、つまりユーザからの入力を、サービスマネージャ３２３に伝える。
【０１２０】
機器連携マネージャ３２９は、ホームネットワーク１０５に接続された機器、または機器連携によって実行可能なサービスを発見して、その機器に対してサービス実行を通知する。これにより機器連携が実現される。
【０１２１】
なお、本実施の形態における放送受信装置１０４Ａで利用される画面レイアウト情報３２０または同期コンテンツ情報３２１は、インターネットを介して、つまりインターネット回線１０３を介して取得されてもよい。その場合、放送波の中に通信コンテンツの所在を示す情報を含ませておいてもよいし、放送局１０１のＷｅｂサイトにその情報を配置しておいてもよい。
【０１２２】
また、本実施の形態では、チューナ３０１、バッファ３０３、デマルチプレクサ３０５、およびビデオデコーダ３１０が実施の形態１の放送受信再生部１１に相当する。また、ネットワークインターフェース３０２、バッファ３０４、デマルチプレクサ３０６、およびビデオデコーダ３０９が実施の形態１の通信受信再生部１４に相当する。さらに、チューナ３０１およびバッファ３０３が実施の形態１の第１の情報取得部１２および所在情報取得部１８に相当する。さらに、同期制御器３１２および加算器３１７が実施の形態１の重畳部１５に相当する。また、通信ライブラリ３２５が実施の形態１の通信状況取得部１９に相当し、機器連携マネージャ３２９が実施の形態１の情報通知部１３に相当する。さらに、ユーザ入力マネージャ３２８およびサービスマネージャ３２３がそれぞれ実施の形態１の視聴形態受付部１６および視聴形態決定部１７に相当する。
【０１２３】
図１０は、番組一覧情報の一例を示す図である。
【０１２４】
番組一覧情報４０１は、バッファ３０３に格納されている上述の複数の番組情報から構成される。この番組一覧情報４０１は、表形式に構成されており、チャンネルの識別子、チャンネル名、およびプログラム番号を含んでいる。プログラム番号とは、ＭＰＥＧ２規格で規定されているＰＭＴ（Program Map Table）を識別するための番号である。
【０１２５】
また、バッファ３０３にはプログラムサービス情報も格納される。このプログラムサービス情報は、ＭＰＥＧ２規格で規定されているＰＡＴ（Program Association Table）４０２およびＰＭＴ（Program Map Table）４０３を有する。ＰＡＴ４０２は、放送番組ごとに、プログラム番号とパケットＩＤを示し、パケットＩＤはＰＭＴ４０３を取得するために用いられる。ＰＭＴ４０３は、ＰＡＴ４０２で規定されたパケットＩＤのパケットに格納され送信されている。ＰＭＴ４０３は、ストリーム種別、パケットＩＤ、および補足情報から構成されている。オーディオ、ビデオ、およびデータはそれぞれ、エレメンタリーストリームと呼ばれ、同一のパケットＩＤで送信される複数のパケットからなる。データの補足情報は、例えば、ＭＰＥＧ規格書ＩＳＯ／ＩＥＣ１３８１８−６に記述されたＤＳＭＣＣという方式を示す。ここではＤＳＭＣＣの詳細な説明は省略する。ＤＳＭＣＣ方式では、ＭＰＥＧ２トランスポートストリームのパケットの中に、コンピュータで使用されているディレクトリやファイルで構成されるファイルシステムをエンコードする方法が規定されている。
【０１２６】
図１１は、画面レイアウト情報および同期コンテンツ情報の一例を示す図である。
【０１２７】
画面レイアウト情報３２０は、放送コンテンツの位置（表示位置）およびサイズ（表示サイズ）と、その放送コンテンツと同期再生される通信コンテンツの位置（表示位置）およびサイズ（表示サイズ）とを示す。この画面レイアウト情報３２０は、放送コンテンツと通信コンテンツとが１つの表示機器またはディスプレイ２０３上で視聴される場合に利用される。
【０１２８】
同期コンテンツ情報３２１は、通信コンテンツを識別するためのコンテンツＩＤ、その通信コンテンツの所在を示すＵＲＬ、コーデックの種類、解像度、ビットレート、開始時刻、開始ＰＴＳ（Program Time Stamp）、終了時刻、および終了ＰＴＳを示す。この同期コンテンツ情報３２１は例えば放送コンテンツに付随して放送される。したがって、コンテンツＩＤは、放送コンテンツと通信コンテンツとの紐付けを行う。放送受信装置１０４Ａは、ＵＲＬによって通信コンテンツの取得先を特定し、コーデックの種類、解像度、およびビットレートによって通信コンテンツの属性を把握する。さらに、放送受信装置１０４Ａは、開始時刻、開始ＰＴＳ、終了時刻、および終了ＰＴＳによって、通信コンテンツの再生期間および再生時刻と、通信コンテンツを構成するストリーム内のデータの位置との関係を把握する。画面レイアウト情報３２０または同期コンテンツ情報３２１は、放送波に重畳（例えば、ＤＳＭＣＣのファイルシステム内への埋め込み）されていてもよいし、サーバ１０２に配置されていてもよい。これらの情報がサーバ１０２に配置される場合には、そのサーバ１０２へリンクするためのリンク情報のみを放送波に重畳しておいてもよい。画面レイアウト情報３２０によって示される位置の座標系は、絶対座標系に限らず、相対座標系であってもよい。同期コンテンツ情報３２１は、複数のコーデックの種類、複数の解像度、複数のビットレートを示していてもよい。つまり、同期コンテンツ情報３２１は、通信コンテンツごとに、コンテンツＩＤ、ＵＲＬ、およびコーデックの種類などを示していてもよい。
【０１２９】
図１２は、ＴＶ１０４とモバイル機器１０６とによる同期再生の例を示すシーケンス図である。なお、この例では、ユーザがＴＶ１０４で放送番組を視聴中にそのＴＶ１０４を操作することによって、ＴＶ１０４とモバイル機器１０６とが放送コンテンツと通信コンテンツとを同期させて再生する。
【０１３０】
まず、ＴＶ１０４の放送受信装置１０４Ａは、ある放送番組が視聴されているときに、ユーザから、放送コンテンツと通信コンテンツの同期再生の要求を受け付ける（ステップＳ６０１）。これにより、ユーザ入力マネージャ３２８は、サービスマネージャ３２３へユーザ入力情報を送る。サービスマネージャ３２３は、ユーザへのポップアップ提示や端末設定情報に従って、通信コンテンツを放送コンテンツと重畳してＴＶ１０４に出力するかどうかを判別する（ステップＳ６０２）。ステップＳ６０２で、通信コンテンツを放送コンテンツと重畳してＴＶ１０４に出力すると判別された場合（ステップＳ６０２のＹｅｓ）、サービスマネージャ３２３は、通信ライブラリ３２５を利用して通信コンテンツの取得、つまり通信コンテンツ取得処理を開始する（ステップＳ６０３ａ）。なお、通信コンテンツ取得処理に関する詳細は後述する。
【０１３１】
放送コンテンツと通信コンテンツとの同期再生に十分なデータ量の通信コンテンツが取得されると、サービスマネージャ３２３は、ＡＶ再生ライブラリ３２６に対して、画面レイアウト情報３２０によって示される通信コンテンツの表示サイズを指定し、通信コンテンツの再生を要求する。ＡＶ再生ライブラリ３２６は、同期制御器３１２を利用して、放送コンテンツに含まれるタイムスタンプ（ＰＴＳ）と通信コンテンツに含まれるタイムスタンプ（ＰＴＳ）を整合させ、夫々のコンテンツに含まれるピクチャをビデオプレーン３１４，３１５のそれぞれに書き込ませ、それらのピクチャを重畳して出力させる（ステップＳ６０４ａ）。このようにして、放送コンテンツと通信コンテンツの同期再生が開始される。
【０１３２】
ステップＳ６０４ａで放送コンテンツと通信コンテンツの同期再生が開始されると、放送受信装置１０４Ａは、同期再生を適切に継続させるための同期再生処理を実行する（ステップＳ６３０）。そして、放送受信装置１０４Ａは、上述の同期再生処理において所定の条件が満たされると、放送コンテンツと通信コンテンツの同期再生を終了する（ステップＳ６１０ａ）。
【０１３３】
一方、ステップＳ６０２で、通信コンテンツを放送コンテンツと重畳してＴＶ１０４に出力しないと判別された場合（ステップＳ６０２のＮｏ）、サービスマネージャ３２３は、機器連携マネージャ３２９を利用して、通信コンテンツを再生する機器（例えば、モバイル機器１０６）を検索する（ステップＳ６１１）。そして、サービスマネージャ３２３は、シナリオメモリ３１８を介して同期コンテンツ情報３２１を取得し（ステップＳ６１２ａ）、ステップＳ６１１で検索された機器であるモバイル機器１０６に対して、その同期コンテンツ情報３２１を通知する（ステップＳ６１２ｂ）。
【０１３４】
次に、放送受信装置１０４Ａは、サービスマネージャ３２３およびチューナライブラリ３２４による制御によって、放送される放送コンテンツを受信して再生を開始する（ステップＳ６０４ｂ）。次に、サービスマネージャ３２３は、現時点が、放送コンテンツである放送番組の終了時刻かどうかを監視する（ステップＳ６０５）。ステップＳ６０５で、現時点が放送コンテンツの終了時刻でないと判別されると（ステップＳ６０５のＮｏ）、サービスマネージャ３２３は、ユーザによってチャンネルの切り替え（選局）が行われたか否かを監視する（ステップＳ６０６）。ステップＳ６０６で、切り替えが行われていないと判別されると（ステップＳ６０６のＮｏ）、サービスマネージャ３２３は、さらに、同期コンテンツ情報３２１が更新されたかどうかを確認する（ステップＳ６０７ａ）。ステップＳ６０７ａで、同期コンテンツ情報３２１が更新されていないと判別されると（ステップＳ６０７ａのＮｏ）、サービスマネージャ３２３はステップＳ６０５からの処理を繰り返す。一方、ステップＳ６０７ａで、同期コンテンツ情報３２１が更新されたと判別されると（ステップＳ６０７ａのＹｅｓ）、サービスマネージャ３２３は、機器連携マネージャ３２９を制御することによって、更新された同期コンテンツ情報３２１をモバイル機器１０６に送信する（ステップＳ６０７ｂ）。そして、放送受信装置１０４Ａは、放送コンテンツの再生を終了する（ステップＳ６１０ｂ）。
【０１３５】
モバイル機器１０６、つまりモバイル機器１０６に備えられた再生装置は、ステップＳ６１２ｂでＴＶ１０４から通知される同期コンテンツ情報３２１を取得する（ステップＳ６１３）。例えば、この再生装置は、放送受信装置１０４Ａと同様に、機器連携マネージャ、サービスマネージャ、通信ライブラリ、ＡＶ再生ライブラリ、ビデオデコーダ、ビデオプレーンなどを備えている。再生装置の機器連携マネージャは、ステップＳ６１３で同期コンテンツ情報３２１を取得すると、その同期コンテンツ情報３２１を再生装置のサービスマネージャに通知する。再生装置のサービスマネージャは、再生装置の通信ライブラリを利用して通信コンテンツの取得を開始する（ステップＳ６０３ｂ）。再生装置のサービスマネージャは、放送コンテンツと通信コンテンツとの同期再生に十分なデータ量の通信コンテンツが取得されると、再生装置のＡＶ再生ライブラリに対して所定の表示サイズを指定して通信コンテンツの再生を要求する。ＡＶ再生ライブラリは、ステップＳ６１３で取得された同期コンテンツ情報３２１に示される開始時刻に、その同期コンテンツ情報３２１に示される開始ＰＴＳに対応する、通信コンテンツに含まれるピクチャを、ビデオプレーンに書き込んで出力する（ステップＳ６１４）。これにより、ＴＶ１０４とモバイル機器１０６との間での、放送コンテンツと通信コンテンツの同期再生が開始される。
【０１３６】
また、ステップＳ６０７ｂでＴＶ１０４から同期コンテンツ情報３２１が通知されると、再生装置は、上述のステップＳ６１３、Ｓ６０３ｂおよびＳ６１４の処理を再び実行する。つまり、再生装置のサービスマネージャは、機器連携マネージャを利用して同期コンテンツ情報３２１を取得して（ステップＳ６１３）、通信コンテンツの再取得を開始する（ステップＳ６０３ｂ）。通信コンテンツの再取得後、再生装置は通信コンテンツの再生を継続する。そして、放送番組が終了したとステップＳ６０５で判別されたとき、あるいは、チャンネルが切り替えられたとステップＳ６０６で判別されたときには、再生装置のサービスマネージャは通信コンテンツの再生を終了させる（ステップＳ６１５）。
【０１３７】
なお、ステップＳ６０３ａにおいて取得される通信コンテンツと、ステップＳ６０４ａで受信される放送コンテンツとのうち、何れか一方のコンテンツにのみオーディオフレームまたはイメージデータが存在する場合は、放送受信装置１０４Ａは、ステップＳ６０４ａおよびＳ６３０における同期再生時に、そのオーディオフレームまたはイメージデータを復号して出力する。放送コンテンツと通信コンテンツの両方にオーディオデータまたはイメージデータが存在する場合は、放送受信装置１０４Ａは、ステップＳ６０４ａおよびステップＳ６３０における同期再生時に、何れか一方のコンテンツを処理対象コンテンツとして認識する。そして、放送受信装置１０４Ａは、その処理対象コンテンツに含まれるオーディオフレームまたはイメージデータを復号して出力する。例えば、放送受信装置１０４Ａは、予め設定されている内容（例えば、言語など）に基づいて、その内容に応じたコンテンツを処理対象コンテンツとして認識する。または、放送受信装置１０４Ａは、同期再生に連動してイメージを出力するか否かを示す制御情報に基づいて、処理対象コンテンツを認識してもよく、処理対象コンテンツが何れのコンテンツであるかを示す情報に基づいて、処理対象コンテンツを認識してもよい。または、放送受信装置１０４Ａは、通信コンテンツおよび放送コンテンツのそれぞれによって示される動画像の表示サイズに応じて、処理対象コンテンツを認識してもよい。
【０１３８】
また、図１２に示すフローチャートでは、チャンネルが切り替えられたときや、放送コンテンツが終了したときに、ＴＶ１０４またはモバイル機器１０６は自動的に通信コンテンツを停止する。しかし、このようなときでも、ＴＶ１０４またはモバイル機器１０６は、別の放送番組である放送コンテンツが引き続き再生され、その別の放送番組に対応する通信コンテンツが存在する場合には、放送コンテンツと通信コンテンツの同期再生を継続してもよい。通信コンテンツの視聴に課金のための認証等が必要になる場合は、一旦通信コンテンツの再生を停止して、ユーザ認証完了後に通信コンテンツの再生を行ってもよい。
【０１３９】
さらに、ＴＶ１０４とモバイル機器１０６は、機器連携開始時等に、同期コンテンツ情報３２１とＥＰＧ情報（例えば、上述の番組一覧情報）を、互いの機器間で共有してもよい。この場合、ＴＶ１０４とモバイル機器１０６は、ＥＰＧ情報と現在の時刻から放送コンテンツの再生位置を予測する。または、放送コンテンツの再生位置を特定するための情報（例えば、ＥＰＧ情報および同期コンテンツ情報３２１）をサーバ１０２に追加しておくことで、それらの機器は放送コンテンツの再生位置を特定する。その結果、それらの機器は、適切な再生位置の通信コンテンツを取得することができ、放送コンテンツと通信コンテンツとを同期させて再生する。また、放送受信装置１０４Ａは、取得した通信コンテンツをモバイル機器１０６に転送することで、放送コンテンツと通信コンテンツとの同期再生を実現してもよい。
【０１４０】
図１３は、図１２におけるステップＳ６３０の同期再生処理の詳細を示すフローチャートである。
【０１４１】
ＴＶ１０４の放送受信装置１０４Ａは、ステップＳ６３０の同期再生処理を実行するときには、ステップＳ６０５、Ｓ６０６およびＳ６０７からなる第１の処理と、ステップＳ６０８およびＳ６０９と上述のステップＳ６０３ａからなる第２の処理とを並列に実行する。
【０１４２】
第１の処理では、上述と同様、放送受信装置１０４Ａのサービスマネージャ３２３は、現時点が、放送コンテンツである放送番組の終了時刻かどうかを監視する（ステップＳ６０５）。ステップＳ６０５で、現時点が放送コンテンツの終了時刻でないと判別されると（ステップＳ６０５のＮｏ）、サービスマネージャ３２３は、ユーザによってチャンネルの切り替え（選局）が行われたか否かを監視する（ステップＳ６０６）。ステップＳ６０６で、切り替えが行われていないと判別されると（ステップＳ６０６のＮｏ）、サービスマネージャ３２３は、さらに、同期コンテンツ情報３２１および画面レイアウト情報３２０のうちの少なくとも１つが更新されたかどうかを確認する（ステップＳ６０７）。ステップＳ６０７で、同期コンテンツ情報３２１および画面レイアウト情報３２０が更新されていないと判別されると（ステップＳ６０７のＮｏ）、サービスマネージャ３２３はステップＳ６０５からの処理を繰り返す。一方、ステップＳ６０７で、同期コンテンツ情報３２１および画面レイアウト情報３２０のうちの少なくとも１つが更新されていると判別されると（ステップＳ６０７のＹｅｓ）、サービスマネージャ３２３は、第２の処理に含まれるステップＳ６０９の処理を実行する。
【０１４３】
第２の処理では、サービスマネージャ３２３は、放送コンテンツと通信コンテンツのそれぞれのビデオデータが同期再生するのに十分存在しているかどうかを確認する（ステップＳ６０８）。ステップＳ６０８で、放送コンテンツと通信コンテンツのそれぞれのビデオデータが同期再生するのに十分存在していると判別されると（ステップＳ６０８のＹｅｓ）、サービスマネージャ３２３はステップＳ６０８からの処理を繰り返す。
【０１４４】
また、第１の処理におけるステップＳ６０７で、画面レイアウト情報３２０および同期コンテンツ情報３２１の少なくとも１つが更新されていると判別されると（ステップＳ６０７ａのＹｅｓ）、または、ステップＳ６０８で、放送コンテンツと通信コンテンツのそれぞれのビデオデータが同期再生するのに十分存在していないと判別されると（ステップＳ６０８のＮｏ）、サービスマネージャ３２３は、通信コンテンツと同期再生されていた放送コンテンツの番組情報をメモリに保持した後、通信状況が正常かどうかを確認する（ステップＳ６０９）。ステップＳ６０９で、通信状況が正常であると判別されると（ステップＳ６０９のＹｅｓ）、サービスマネージャ３２３は、上述のＳ６０３ａの通信コンテンツ取得処理を行い、ステップＳ６０８からの処理を繰り返す。
【０１４５】
また、第１の処理のステップＳ６０５で、現時点が放送コンテンツの終了時刻であると判別されると（ステップＳ６０５のＹｅｓ）、ステップＳ６０６で、チャンネルの切り替えが行われたと判別されると（ステップＳ６０６のＹｅｓ）、または、第２の処理のステップＳ６０９で、通信状況が異常であると判別されると（ステップＳ６０９のＮｏ）、上述の同期再生処理における所定の条件が満たされたことになる。つまり、放送受信装置１０４Ａは、放送コンテンツと通信コンテンツの同期再生を終了する（ステップＳ６１０ａ）。
【０１４６】
図１４は、図１２におけるステップＳ６０３ａの通信コンテンツ取得処理の詳細を示すフローチャートである。
【０１４７】
まず、ＴＶ１０４の放送受信装置１０４Ａは、放送波に重畳された同期コンテンツ情報３２１を取得し（ステップＳ８０１）、さらに、画面レイアウト情報３２０を取得する（ステップＳ８０２）。次に、放送受信装置１０４Ａは、現在、放送コンテンツと通信コンテンツとが同期再生されているかどうかを確認する（ステップＳ８０３）。ステップＳ８０３で、放送コンテンツと通信コンテンツとが同期再生されていないと判別されると（ステップＳ８０３のＮｏ）、放送受信装置１０４Ａは、ＴＶ１０４のディスプレイ２０３の解像度および表示サイズなどを示す表示画面情報を取得する（ステップＳ８０４）。ここで、ステップＳ８０１で取得された同期コンテンツ情報３２１には、複数の通信コンテンツのそれぞれに対して、ビットレートなどのビデオ情報が示されている。そこで、放送受信装置１０４Ａは、ステップＳ８０１で取得された同期コンテンツ情報３２１、ステップＳ８０２で取得された画面レイアウト情報３２０、およびステップＳ８０４で取得された表示画面情報に基づいて、最も適切な通信コンテンツを取得する（ステップＳ８０５）。例えば、放送受信装置１０４Ａは、ディスプレイ２０３の表示サイズに合わせた、同期コンテンツ情報３２１に記載の必要最低限の品位（ビデオ情報）を持つ通信コンテンツを取得する。一方、ステップＳ８０３で、放送コンテンツと通信コンテンツとが同期再生されていると判別されると（ステップＳ８０３のＹｅｓ）、放送受信装置１０４Ａは、同期コンテンツ情報３２１に記載の高品位の通信コンテンツを取得する（ステップＳ８０５）。ただし、放送受信装置１０４Ａは、負荷や通信状況に応じて、ステップＳ８０５で取得される通信コンテンツの品位を変更してもよい。
【０１４８】
これにより、ユーザの指示により放送コンテンツと通信コンテンツとの同期再生が要求されてから開始するまでの時間を短くできることができる。また、放送コンテンツと通信コンテンツの同期再生中に通信コンテンツをフルスクリーン表示した場合でもユーザに高品位な表示を提示することができる。放送コンテンツの状態に合わせて通信コンテンツのリソースを自動的に回収することで別のサービスにリソースを割り当てることができる。通信コンテンツに異常が発生した場合に、ユーザに対して不適切な画像が提示されてしまうことを防ぐことができる。さらに、放送コンテンツと通信コンテンツの同期再生を、１つの機器のみによる同期再生か、２つの機器間による同期再生かに切り替えることができる。また、本実施の形態においても、実施の形態１と同様の効果を奏することができる。
【０１４９】
図１５は、ＴＶ１０４とモバイル機器１０６とによる同期再生の他の例を示すシーケンス図である。なお、この例では、ユーザがＴＶ１０４で放送番組を視聴中にモバイル機器１０６を操作することによって、ＴＶ１０４とモバイル機器１０６とが放送コンテンツと通信コンテンツとを同期させて再生する。
【０１５０】
まず、モバイル機器１０６の再生装置は、ある放送番組が視聴されているときに、ユーザから、放送コンテンツと通信コンテンツの同期再生の要求を受け付ける（ステップＳ７０１）。これにより、再生装置のユーザ入力マネージャは、サービスマネージャへユーザ入力情報を送る。再生装置のサービスマネージャは、機器連携マネージャを利用して、放送コンテンツを再生している機器であるＴＶ１０４を検索する（ステップＳ７０２）。さらに、そのサービスマネージャは、ユーザへのポップアップ提示や端末設定情報に従って、通信コンテンツを放送コンテンツと重畳してＴＶ１０４に出力するかどうか、つまりＴＶ１０４単独で同期再生するかどうかを判別する（ステップＳ７０３）。ステップＳ７０３で、通信コンテンツを放送コンテンツと重畳してＴＶ１０４に出力すると判別されると（ステップＳ７０３のＹｅｓ）、再生装置のサービスマネージャは、機器連携マネージャを利用して、ＴＶ１０４に対して、ＴＶ１０４での放送コンテンツと通信コンテンツの同期再生を指示する（ステップＳ７０４）。また、モバイル機器１０６の再生装置は、ステップＳ７０４の処理を終えると、同期再生の全ての処理を終了する。また、ステップＳ７０３で、通信コンテンツを放送コンテンツと重畳してＴＶ１０４に出力しないと判別されると（ステップＳ７０３のＮｏ）、再生装置は、図１２に示す処理と同様、ステップＳ６１３、Ｓ６０３ａおよびＳ６１４の処理を実行し、通信コンテンツの再生を終了する（ステップＳ６１５）。
【０１５１】
一方、ＴＶ１０４の放送受信装置１０４Ａは、モバイル機器１０６から、ＴＶ１０４での同期再生が指示されたか否かを判別する（ステップＳ７０５）。ここで、放送受信装置１０４Ａは、ＴＶ１０４での同期再生が指示されたと判別すると（ステップＳ７０５のＹｅｓ）、図１２に示す処理と同様、ステップＳ６０３ａ、Ｓ６０４ａ、Ｓ６３０およびＳ６１０ａを実行する。一方、放送受信装置１０４Ａは、ＴＶ１０４での同期再生が指示されていないと判別すると（ステップＳ７０５のＮｏ）、図１２に示す処理と同様、ステップＳ６１２ａ、Ｓ６１２ｂ、Ｓ６０４ｂ、Ｓ６０５、Ｓ６０６、Ｓ６０７ａ、Ｓ６０７ｂおよびＳ６１０ｂを実行する。
【０１５２】
（変形例１）
ここで、本実施の形態における第１の変形例について説明する。
【０１５３】
本変形例に係る同期コンテンツ情報３２１には、通信コンテンツと同期再生される放送コンテンツの放送タイプが示されている。本変形例に係る放送受信装置１０４Ａは、その同期コンテンツ情報３２１を取得すると、その放送タイプに応じた再生処理を行う。
【０１５４】
図１６は、本変形例に係る同期コンテンツ情報３２１の一例を示す図である。
【０１５５】
この同期コンテンツ情報３２１は、通信コンテンツのコンテンツＩＤおよびＵＲＬなどを示すとともに、さらに、その通信コンテンツと同期再生される放送コンテンツの放送タイプ８０１を示す。具体的には、この放送タイプ８０１は、ライブ放送（ライブ）またはオンデマンド放送（録画）である。
【０１５６】
図１７は、本変形例に係る放送受信装置１０４Ａによる放送タイプ８０１を用いた再生処理を示すフローチャートである。
【０１５７】
放送受信装置１０４Ａは、まず、同期再生の予約の要求を受け付ける（ステップＳ１００１）。つまり、ユーザは、番組情報等を参考にＴＶ１０４を操作し、放送コンテンツと通信コンテンツの自動開始予約を行う。放送受信装置１０４Ａは、同期コンテンツ情報３２１の放送タイプ８０１がライブ放送であるかどうかを確認する（ステップＳ１００２）。ここで、ステップＳ１００２で、放送タイプ８０１がライブ放送でないと判別されると（ステップＳ１００２のＮｏ）、放送受信装置１０４Ａは、上述のステップＳ６０３ａの通信コンテンツ取得処理を行う。このとき、放送コンテンツの放送が開始される時刻まで十分に時間がある場合には、放送受信装置１０４Ａは、高品位（高画質）の通信コンテンツを取得しておいてもよい。
【０１５８】
放送受信装置１０４Ａは、同期再生に十分なデータ量の通信コンテンツが取得された後、その放送コンテンツである放送番組の放送が開始されるかどうかを監視する（ステップＳ１００３）。ステップＳ１００３で、放送番組の放送が開始されると判別されると（ステップＳ１００３のＹｅｓ）、放送受信装置１０４Ａは、上述のステップＳ６０４ａの同期再生、つまり、放送コンテンツと通信コンテンツとの同期再生を開始する。一方、ステップＳ１００３で、放送番組の放送が開始されないと判別されると（ステップＳ１００３のＮｏ）、放送受信装置１０４Ａは、その放送番組の放送が開始されるまで待機する。
【０１５９】
なお、放送受信装置１０４Ａがモバイル機器１０６の再生装置との間で、放送コンテンツと通信コンテンツとの同期再生を行う場合には、ステップＳ１００３で、放送番組の放送が開始されると判別されると（ステップＳ１００３のＹｅｓ）、放送受信装置１０４Ａは、上述のステップＳ６０４ｂの処理である放送コンテンツの再生を開始する。
【０１６０】
これにより、放送コンテンツのタイプに応じて事前に通信コンテンツのデータを取得することにより、放送コンテンツの放送開始と同時に、放送コンテンツを通信コンテンツと同期させて再生することが可能になる。
【０１６１】
なお、放送受信装置１０４Ａは、放送コンテンツと通信コンテンツとを同期させて再生することによって、これらのコンテンツを３Ｄ画像として再生してもよい。なお、このような再生を３Ｄ再生または３Ｄ表示ともいう。例えば、ＴＶ１０４の出力デバイスが３Ｄ対応の場合、放送受信装置１０４Ａは、放送コンテンツを右目用のデータとして出力し、通信コンテンツを左目用のデータとして出力することによって３Ｄ再生する。その場合、同期コンテンツ情報３２１は、その同期コンテンツ情報３２１に対応する放送コンテンツと通信コンテンツとが３Ｄ再生用のコンテンツであることを示す。これにより、放送受信装置１０４Ａは、３Ｄ再生用の出力設定（右目用データと左目用データを交互に出力する設定）を事前に行うことができる。
【０１６２】
また、３Ｄ再生する場合に、通信異常によって通信コンテンツのデータを受信することができなかった場合には、３Ｄ再生用の出力設定で表示される画像がユーザに違和感を感じさせる可能性があるため、放送受信装置１０４Ａは、ビデオプレーンに書き込まれた放送コンテンツを２度出力する。これにより、表示される画像は２Ｄ画像として視認されるが、違和感を緩和することが可能となる。このような場合、放送受信装置１０４Ａは、ユーザに対して事前に、通信異常によって２Ｄ画像に切り替わることを通知してもよい。これにより、ユーザは、２Ｄ画像への切り替えが行われることを容易に理解することができる。通信状況が異常から正常に戻れば、放送受信装置１０４Ａは通信コンテンツの再生を再開する。つまり、放送受信装置１０４Ａは、一方のビデオプレーンに書き込まれた放送コンテンツと、他方のビデオプレーンに書き込まれた通信コンテンツとを交互出力することによって、上述の３Ｄ再生を行う。また、通信異常等によって、通信コンテンツを受信することができず、３Ｄ再生が途中で途切れた場合には、放送受信装置１０４Ａは、途切れた時刻を保持しておく。そして、放送受信装置１０４Ａは、放送コンテンツを受信することができるようになった際に、ユーザが見逃した画像である、その時刻に対応する画像から、３Ｄ再生を再開してもよい。
【０１６３】
（変形例２）
ここで、本実施の形態における第２の変形例について説明する。
【０１６４】
本変形例に係る同期コンテンツ情報３２１には、通信コンテンツと連動して表示される連動データに関する情報が示されている。本変形例に係る放送受信装置１０４Ａまたは再生装置は、その同期コンテンツ情報３２１を取得すると、その連動データに関する情報に応じた再生処理を行う。
【０１６５】
図１８は、本変形例に係る同期コンテンツ情報３２１の一例を示す図である。 
【０１６６】
この同期コンテンツ情報３２１は、通信コンテンツのコンテンツＩＤおよびＵＲＬなどを示すとともに、さらに、その通信コンテンツと連動して表示される連動データに関する情報１１０１を示す。具体的には、この情報１１０１は、指定された時刻に自動的にイメージデータなどの連動データを通信コンテンツに連動させて再生または出力することを可能にするための情報である。放送受信装置１０４Ａまたはモバイル機器１０６の再生装置は、その情報１１０１に示される時刻に、その情報１１０１に示される名称の連動データを、放送またはインターネット回線１０３を介して取得して再生または出力する。なお、連動データは、静止画、字幕、または効果音等であり、例えば、通信コンテンツのビデオデータとフレーム単位で同期させて再生される。
【０１６７】
なお、放送受信装置１０４Ａおよび再生装置は、放送コンテンツと通信コンテンツとを連携するリレー中継を行ってもよい。例えば、ユーザが放送で野球のナイター中継のようなライブ中継を視聴している最中に、野球の試合自体は継続中だが放送が終了する場合がある。その様な場合に、放送受信装置１０４Ａおよび再生装置は、放送（放送コンテンツ）の続きとして通信コンテンツを取得して再生する。ここで、放送受信装置１０４Ａは、放送コンテンツの大きい動画像の前面に、通信コンテンツの小さい動画像を重ねて出力している際に、放送が終了すると、その通信コンテンツの表示サイズを全画面に変更して、放送の続きとしてその通信コンテンツを継続して再生してもよい。また、再生装置は、放送受信装置１０４Ａからの通知によって、放送の続きに相当する通信コンテンツの所在を示す情報を取得し、その所在から通信コンテンツを取得して、放送の続きとして再生してもよい。
【０１６８】
（変形例３）
ここで、本実施の形態における第３の変形例について説明する。
【０１６９】
本変形例に係る放送受信装置は、画面レイアウト情報３２０および同期コンテンツ情報３２１だけでなく、アプリケーションプログラム（以下、アプリケーションという）も取得する。つまり、本変形例に係る放送受信装置は、そのアプリケーションに応じて、放送コンテンツと通信コンテンツの同期再生を行なう。これにより、本変形例に係る放送受信装置では、アプリケーションを配信した放送事業者や通信事業者が通信異常時等に対する処理を設定することができる。
【０１７０】
図１９は、本変形例に係る放送受信装置の内部構成を示すブロック図である。
【０１７１】
本変形例に係る放送受信装置１０４Ｂは、図１９に示すように、上記実施の形態２における放送受信装置１０４Ａの全ての構成要素を備えるとともに、さらに、アプリマネージャ１２０１を備える。アプリマネージャ１２０１は、ＤＳＭＣＣで放送波に埋め込まれたアプリケーション１２０２の起動および終了を管理する。あるいは、アプリマネージャ１２０１は、放送波に埋め込まれたアプリケーション１２０２の所在情報を利用して、通信を介してそのアプリケーション１２０２を取得し、そのアプリケーション１２０２の起動および終了を管理する。ここで、取得されたアプリケーション１２０２はシナリオメモリ３１８に格納され、アプリマネージャ１２０１は制御部３２２に備えられる。そして、アプリマネージャ１２０１は、シナリオメモリ３１８に格納されているアプリケーション１２０２を読み出して起動および終了する。
【０１７２】
なお、アプリケーション１２０２の言語は、どのような言語であってもよい。つまり、アプリケーション１２０２は、Ｊａｖａ（登録商標）言語で記述されたものでも、ＨＴＭＬ言語で記述されたものでも、ＢＭＬ言語で記述されたものであってもよい。放送受信装置１０４Ｂのサービスマネージャ３２３は、アプリケーション１２０２に対して、通信異常の通知をしたり、あるいは、画面レイアウト情報３２０または同期コンテンツ情報３２１の更新等を通知したりする。また、放送受信装置１０４Ｂのサービスマネージャ３２３は、アプリケーション１２０２に対して、放送コンテンツと通信コンテンツの同期再生を指示したり、指定されたビットレートや解像度の通信コンテンツの取得を指示したり、画面レイアウト情報３２０または同期コンテンツ情報３２１の取得を指示したり、表示画面情報の取得を指示したり、放送コンテンツと通信コンテンツの入れ替えを指示したり、表示／非表示の切替機能等を提示したりしてもよい。また、本変形例では、アプリマネージャ１２０１は、放送受信装置１０４Ｂに備えられているが、モバイル機器１０６の再生装置に備えられていてもよい。
【０１７３】
なお、一つまたは複数の態様に係る放送受信装置および再生装置について、上記の実施の形態およびその変形例に基づいて説明してきたが、本発明は、これらの実施の形態およびその変形例に限定されないのはもちろんである。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１７４】
本発明は、コンピュータを動作させるプログラムコードを含むコンピュータプログラムであるとしてもよいし、前記コンピュータプログラムからなるデジタル信号であるとしてもよい。つまり、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１７５】
ここで、上記各実施の形態の放送受信装置を実現するソフトウェアは、次のようなプログラムである。すなわち、このプログラムは、放送される放送コンテンツを受信するためのプログラムであって、放送以外の通信を介して配信される通信コンテンツの再生を放送コンテンツの再生に同期させるための同期情報を取得し、通信コンテンツを再生する再生装置に対して同期情報を通知し、放送コンテンツを受信して再生することを、コンピュータに実行させる。
【０１７６】
また、上記各実施の形態の再生装置を実現するソフトウェアは、次のようなプログラムである。すなわち、このプログラムは、放送以外の通信を介して配信される通信コンテンツを再生するためのプログラムであって、通信コンテンツの再生を、放送される放送コンテンツの再生に同期させるための同期情報を取得し、取得された前記同期情報にしたがって、前記通信コンテンツを受信して再生することを、コンピュータに実行させる。
【０１７７】
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。
【０１７８】
また、本発明は、前記コンピュータプログラム又は前記デジタル信号を、電気通信回線、無線又は有線通信回線、インターネットを代表とするネットワーク等を経由して伝送するものとしてもよい。
【０１７９】
また、前記コンピュータプログラム又は前記デジタル信号を前記記録媒体に記録して移送することにより、又は前記コンピュータプログラム又は前記デジタル信号を前記ネットワーク等を経由して移送することにより、独立した他のコンピュータシステムにより実施するとしてもよい。
【０１８０】
本発明は、上記実施の形態に記載の装置を制御するＬＳＩとしても実施可能である。機能ブロックは、個別に１チップ化されてもよいし、一部または全てを含むように１チップ化されてもよい。
【０１８１】
ここでは、ＬＳＩとしたが、集積度の違いにより、ＩＣ、システムＬＳＩ、スーパーＬＳＩ、ウルトラＬＳＩと呼称されることもある。
【０１８２】
また、集積回路化の手法はＬＳＩに限るものではなく、専用回路または、汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１８３】
さらには、半導体技術の進歩または派生する別技術によりＬＳＩに置き換わる集積回路化の技術が登場すれば、当然、その技術を用いて機能ブロック及び部材の集積化を行ってもよい。このような技術には、バイオ技術の適用等が可能性としてありえる。
【０１８４】
保存データの移行対象たる読み書き可能な記録媒体として、上記各実施の形態では、記録媒体（例えばＨＤＤやＳＤカードやコンパクトフラッシュ（登録商標）などの半導体メモリ）を用いたが、本発明の特徴は、記録媒体の物理的特性に依存するものではなく、本発明は、他の読み書き可能な記録媒体にも適用できる。例えば、外付けハードディスクなどにデータが記録された場合においても上述と同様の効果を奏することはもちろんのことである。
【０１８５】
上記各実施の形態では、放送コンテンツと通信コンテンツとを融合して再生する再生機能を有する装置について説明したが、本発明は、再生機能のみを有するものではなく記録機能をも有する装置にも適用できることはもちろんのことである。また、上記各実施の形態及び上記各変形例をそれぞれ組み合わせるとしてもよい。
【産業上の利用可能性】
【０１８６】
本発明に係る放送通信システムは、放送受信装置と再生装置との間で、放送コンテンツと通信コンテンツとを同期させて再生することができるという効果を奏し、例えば、テレビ受像機とモバイル機器とからなるシステムなどに適用することができる。
【符号の説明】
【０１８７】
１０Ａ〜１０Ｄ    放送受信装置
１１    放送受信再生部
１２    第１の情報取得部
１３    情報通知部
１４    通信受信再生部
１５    重畳部
１６    視聴形態受付部
１７    視聴形態決定部
１８    所在情報取得部
１９    通信状況取得部
２０    同期情報
２１    所在情報
３０    再生装置
３１    第２の情報取得部
３２    通信受信再生部
１０１    放送局
１０２    サーバ
１０３    インターネット回線
１０４    ＴＶ
１０４Ａ    放送受信装置
１０４Ｂ    放送受信装置
１０５    ホームネットワーク
１０６    モバイル機器
２０１    放送コンテンツ
２０２    通信コンテンツ
２０３    ディスプレイ
２０４    ディスプレイ
３０１    チューナ
３０２    ネットワークインターフェース
３０３    バッファ
３０４    バッファ
３０５    デマルチプレクサ 
３０６    デマルチプレクサ
３０７    イメージメモリ
３０８    イメージデコーダ
３０９    ビデオデコーダ
３１０    ビデオデコーダ
３１１    オーディオデコーダ
３１２    同期制御器
３１３    イメージプレーン
３１４    ビデオプレーン
３１５    ビデオプレーン
３１６    スピーカ
３１７    加算器
３１８    シナリオメモリ
３１９    カレント番組情報
３２０    画面レイアウト情報
３２１    同期コンテンツ情報
３２２    制御部
３２３    サービスマネージャ
３２４    チューナライブラリ
３２５    通信ライブラリ
３２６    ＡＶ再生ライブラリ
３２７    レンダリングライブラリ
３２８    ユーザ入力マネージャ
３２９    機器連携マネージャ
４０１    番組一覧情報
４０２    ＰＡＴ
４０３    ＰＭＴ
８０１    放送タイプ
１１０１    連動データに関する情報
１２０１    アプリマネージャ
【図１】
2013061525.tif 000003
【図２】
2013061525.tif 000004
【図３】
2013061525.tif 000005
【図４】
2013061525.tif 000006
【図５】
2013061525.tif 000007
【図６】
2013061525.tif 000008
【図７】
2013061525.tif 000009
【図８】
2013061525.tif 000010
【図９】
2013061525.tif 000011
【図１０】
2013061525.tif 000012
【図１１】
2013061525.tif 000013
【図１２】
2013061525.tif 000014
【図１３】
2013061525.tif 000015
【図１４】
2013061525.tif 000016
【図１５】
2013061525.tif 000017
【図１６】
2013061525.tif 000018
【図１７】
2013061525.tif 000019
【図１８】
2013061525.tif 000020
【図１９】
2013061525.tif 000021
【国際調査報告】
2013061525.tif 000022
2013061525.tif 000023
2013061525.tif 000024
2013061525.tif 000025
2013061525.tif 000026
2013061525.tif 000027
2013061525.tif 000028